(57)【特許請求の範囲】
【請求項１】
炉体の内部におけるガラス溶解槽の上部空間に向けてガス燃料を溶解ガラスの上面に沿う設定火炎形成方向に沿って噴出する燃料噴出部と、前記ガラス溶解槽の上部空間に向けて前記ガス燃料を燃焼させるための燃焼用酸素含有ガスを前記設定火炎形成方向に沿って吐出する酸素含有ガス吐出部とが、前記炉体の壁部に設けられたガラス溶解炉用の燃焼装置であって、
前記燃料噴出部が、上下方向に間隔を隔てて位置する上下の噴出孔と、それら上下の噴出孔の中間の高さで且つそれら上下の噴出孔の両横側方に振り分け位置する左右の噴出孔とを備えるように構成され、
前記燃料噴出部における前記複数の噴出孔から分配して噴出されるガス燃料の分配率を変更調節する分配率調節手段が設けられているガラス溶解炉用の燃焼装置。
【請求項２】
前記酸素含有ガス吐出部が、前記燃料噴出部における前記複数の噴出孔にて囲まれる位置に形成した酸素含有ガス吐出口にて構成されている請求項１記載のガラス溶解炉用の燃焼装置。
【請求項３】
前記燃料噴出部及び前記酸素含有ガス吐出部が、前記炉体の壁部に組付自在な一つのユニット状体として構成されている請求項１又は２記載のガラス溶解炉用の燃焼装置。
【請求項４】
前記ガラス溶解槽が、原料供給側から溶解ガラス取り出し側に向けてガラス原料を流動させるように構成され、
前記燃料噴出部と前記酸素含有ガス吐出部との組が、前記ガラス溶解槽におけるガラス原料の流動方向に沿って並置されている請求項１〜３のいずれか１項に記載のガラス溶解炉用の燃焼装置。
【発明の詳細な説明】
【技術分野】
【０００１】
本発明は、炉体の内部におけるガラス溶解槽の上部空間に向けてガス燃料を溶解ガラスの上面に沿う設定火炎形成方向に沿って噴出する燃料噴出部と、前記ガラス溶解槽の上部空間に向けて前記ガス燃料を燃焼させるための燃焼用酸素含有ガスを前記設定火炎形成方向に沿って吐出する酸素含有ガス吐出部とが、前記炉体の壁部に設けられたガラス溶解炉用の燃焼装置に関する。
【背景技術】
【０００２】
かかるガラス溶解炉用の燃焼装置（以下、単に燃焼装置と称する場合がある）は、燃料噴出部により、ガス燃料をガラス溶解槽の上部空間に向けて溶解ガラスの上面に沿う設定火炎形成方向に沿って噴出し、酸素含有ガス吐出部により、ガス燃料を燃焼させるための燃焼用酸素含有ガスをガラス溶解槽の上部空間に向けて前記設定火炎形成方向に沿って吐出することにより、ガラス溶解槽の上部空間に設定火炎形成方向に沿って火炎を形成してガラス溶解槽を加熱するものである。
【０００３】
このような燃焼装置において、従来では、燃料噴出部としての１個の円形の燃料噴出孔と酸素含有ガス吐出部としての環状の一次空気吐出口及び環状の二次空気吐出口とが、燃料噴出孔の軸心方向に沿う軸心方向視にて、燃料噴出孔の外周部に一次空気吐出口が位置し且つその一次空気吐出口の外周部に二次空気吐出口が位置する状態で設けられていた。
そして、燃料噴出孔から噴出されたガス燃料を一次空気吐出口から吐出された一次燃焼用空気にて燃焼させ、更に、そのガス燃料の未燃分を二次空気吐出口から吐出された二次燃焼用空気にて燃焼させて、ガラス溶解槽の上部空間に設定火炎形成方向に沿って火炎を形成するように構成されていた（例えば、特許文献１参照。）。
【０００４】
つまり、燃料噴出部からのガス燃料の噴出量を変更調節することにより、火炎の長さや幅が変更されるが、燃料噴出部からのガス燃料の噴出量が同じであれば、火炎の長さや幅はもちろんのこと火炎の形成位置も同様となるように構成されていた。
【０００５】
【特許文献１】特開２００２−１３７０４号公報
【発明の開示】
【発明が解決しようとする課題】
【０００６】
ところで、燃料噴出部及び酸素含有ガス吐出部を炉体の壁部に設けた状態で、燃料噴出部からのガス燃料の噴出量を同一にした状態でも、火炎の形成位置、幅等の火炎の形成状態を変更調節することができるようにしたいという要望がある。
【０００７】
上述の如き要望について説明を加える。
即ち、ガラス原料の種類によっては、ガラス溶解槽の溶解ガラス上面近傍を酸化雰囲気にするのが好ましい場合や還元雰囲気にするのが好ましい場合がある。
そして、溶解ガラス上面近傍を酸化雰囲気にするには、火炎を溶解ガラスの上面と間隔をあけて形成することになり、溶解ガラス上面近傍を還元雰囲気にするには、火炎を溶解ガラスの上面に近接させて形成することになり、火炎の形成高さを変更調節できることが望まれる。
【０００８】
又、原料供給側からガラス溶解槽に供給したガラス原料を溶解ガラス取り出し側に向けて流動させながら溶解させる形態でガラス溶解炉が運転される場合、ガラス溶解槽の上面における原料供給側の部分は、ガラス原料が浮遊しているため凸凹状であり、ガラス溶解槽の上面における溶解ガラス取り出し側の部分は平坦である。
そこで、ガラス原料の流動方向に沿う方向における原料供給側の位置では、浮遊しているガラス原料に当たらないように、火炎を上方寄りに形成するのが好ましく、一方、ガラス原料の流動方向に沿う方向における溶解ガラス取り出し側の位置では、ガラス溶解槽を効率良く加熱するために、火炎を下方寄りに形成するのが好ましいものであり、火炎の形成高さを変更調節できることが望まれる。
ちなみに、浮遊しているガラス原料に火炎が当たると、火炎が乱れて炉内の温度分布が変動するので、ガラス溶解槽を適切に加熱し難いものとなる。
【０００９】
又、ガラス原料溶解処理の処理量が異なる等により、ガラス溶解槽の上面の高さが異なる場合があり、このような場合は、ガラス溶解槽の上面の高さに応じて火炎の形成高さを変更調節するのが好ましく、火炎の形成高さを変更調節できることが望まれる。
又、炉内の温度分布を小さくするには、火炎の横幅を広くするのが好ましく、火炎の横幅を変更調節できることが望まれる。
【００１０】
要するに、燃料噴出部及び酸素含有ガス吐出部を炉体の壁部に設けた状態で、燃料噴出部からのガス燃料の噴出量を同一にした状態でも、火炎の形成状態を変更調節できることが望まれるのである。
しかしながら、従来の燃焼装置では、燃料噴出部及び酸素含有ガス吐出部を炉体の壁部に設けた状態で、燃料噴出部からのガス燃料の噴出量を同一にした状態では、火炎の形成状態を変更調節できないので、上述の如き要望に応えることができないものであった。
【００１１】
本発明は、かかる実情に鑑みてなされたものであり、その目的は、燃料噴出部からのガス燃料の噴出量を同一にした状態でも火炎の形成状態を変更調節し得るガラス溶解炉用の燃焼装置を提供することにある。
【課題を解決するための手段】
【００１２】
本発明のガラス溶解炉用の燃焼装置は、炉体の内部におけるガラス溶解槽の上部空間に向けてガス燃料を溶解ガラスの上面に沿う設定火炎形成方向に沿って噴出する燃料噴出部と、前記ガラス溶解槽の上部空間に向けて前記ガス燃料を燃焼させるための燃焼用酸素含有ガスを前記設定火炎形成方向に沿って吐出する酸素含有ガス吐出部とが、前記炉体の壁部に設けられたものであって、
第１特徴構成は、前記燃料噴出部が、上下方向に間隔を隔てて位置する上下の噴出孔と、それら上下の噴出孔の中間の高さで且つそれら上下の噴出孔の両横側方に振り分け位置する左右の噴出孔とを備えるように構成され、
前記燃料噴出部における前記複数の噴出孔から分配して噴出されるガス燃料の分配率を変更調節する分配率調節手段が設けられている点にある。
【００１３】
即ち、分配率調節手段により、燃料噴出部における複数の噴出孔から分配して噴出されるガス燃料の分配率を、複数の噴出孔のうちの選択した一部の噴出孔から多量に噴出する、あるいは、選択した一部の噴出孔のみから噴出する分配率に調節することにより、選択した一部の噴出孔により主たる火炎が形成されることになり、そして、複数の噴出孔のうちから主たる火炎を形成するものとして選択する一部の噴出孔を異ならせる形態で、分配率調節手段によりガス燃料の分配率を変更調節することにより、主たる火炎の形成位置、横幅等の火炎形成状態を変更調節することができる。
【００１４】
例えば、燃料噴出部に供給されるガス燃料のうちの大部分を上部の噴出孔から噴出させ、残りを下部及び左右の噴出孔から噴出させる分配率、あるいは、燃料噴出部に供給されるガス燃料の全てを上部の噴出孔から噴出させる分配率に調節すると、上部の噴出孔により主たる火炎が形成されるので、主たる火炎を上方寄りに形成することができる。
又、燃料噴出部に供給されるガス燃料のうちの大部分を下部の噴出孔から噴出させ、残りを上部及び左右の噴出孔から噴出させる分配率、あるいは、燃料噴出部に供給されるガス燃料の全てを下部の噴出孔から噴出させる分配率に調節すると、下部の噴出孔により主たる火炎が形成されるので、主たる火炎を下方寄りに形成することができる。
又、燃料噴出部に供給されるガス燃料のうちの大部分を左右の噴出孔から噴出させ、残りを上下の噴出孔から噴出させる分配率、あるいは、燃料噴出部に供給されるガス燃料の全てを左右の噴出孔から噴出させる分配率に調節すると、左右の噴出孔により主たる火炎が形成されるので、横幅が広い主たる火炎を形成することができる。
【００１５】
尚、主たる火炎を形成する噴出孔以外の噴出孔から少量のガス燃料を噴出させることにより、燃料噴出部の過熱を防止して耐久性を向上することができる。又、燃料噴出部が高耐熱性の材料にて構成されていて過熱されても耐久性の劣化の虞がない場合は、主たる火炎を形成する噴出孔以外の噴出孔からのガス燃料の噴出を停止することができる。
従って、燃料噴出部からのガス燃料の噴出量を同一にした状態でも火炎の形成状態を変更調節し得るガラス溶解炉用の燃焼装置を提供することができるようになった。
【００１６】
第２特徴構成は、上記第１特徴構成に加えて、
前記酸素含有ガス吐出部が、前記燃料噴出部における前記複数の噴出孔にて囲まれる位置に形成した酸素含有ガス吐出口にて構成されている点にある。
【００１７】
即ち、酸素含有ガス吐出部が、燃料噴出部における複数の噴出孔にて囲まれる位置に形成した酸素含有ガス吐出口にて構成されているので、分配率調節手段にてガス燃料の分配率が変更調節されて、燃料噴出部における複数の噴出孔から噴出されるガス燃料の分配率が変更されても、燃料噴出部から噴出されるガス燃料を酸素含有ガス吐出口から吐出される酸素含有ガスにて適切に燃焼させることができる。
【００１８】
そして、上述のように、酸素含有ガス吐出部を燃料噴出部における複数の噴出孔にて囲まれる位置に形成した酸素含有ガス吐出口にて構成することにより、酸素含有ガス吐出部を燃料噴出部における複数の噴出孔の夫々に対応して各別に設けた複数の酸素含有ガス吐出口にて構成する場合に比べて、酸素含有ガス吐出部の構成の簡略化を図ることができる。
又、酸素含有ガス吐出部を燃料噴出部における複数の噴出孔の夫々に対応して各別に設けた複数の酸素含有ガス吐出口にて構成する場合、ガス燃料用の前記分配率調節手段にてガス燃料の分配率が変更調節されるのに対応して、複数の酸素含有ガス吐出口から分配して吐出される酸素含有ガスの分配率を変更調節するための酸素含有ガス用の分配率調節手段が必要となるが、上述のように、酸素含有ガス吐出部を燃料噴出部における複数の噴出孔にて囲まれる位置に形成した酸素含有ガス吐出口にて構成することにより、前述の如き酸素含有ガス用の分配率調節手段が不要となる。
従って、装置価格の低廉化を図りながら、燃料噴出部からのガス燃料の噴出量を同一にした状態でも火炎の形成状態を変更調節できるようにすることができるようになった。
【００１９】
第３特徴構成は、上記第１又は第２特徴構成に加えて、
前記燃料噴出部及び前記酸素含有ガス吐出部が、前記炉体の壁部に組付自在な一つのユニット状体として構成されている点にある。
【００２０】
即ち、燃料噴出部及び酸素含有ガス吐出部が炉体の壁部に組付自在な一つのユニット状体として構成されているので、一つのユニット状体を炉体の壁部に組み付けることにより、燃料噴出部及び酸素含有ガス吐出部を一挙に炉体の壁部に設けることができる。
ちなみに、燃料噴出部と酸素含有ガス吐出部とを別体に構成する場合、燃料噴出部と酸素含有ガス吐出部とを別々に炉体の壁部に設けることになるので、設置作業が複雑なものとなる。
従って、燃焼装置の設置作業の簡略化を図りながら、燃料噴出部からのガス燃料の噴出量を同一にした状態でも火炎の形成状態を変更調節できるようにすることができるようになった。
【００２１】
第４特徴構成は、上記第１〜第３特徴構成のいずれか１つに加えて、
前記ガラス溶解槽が、原料供給側から溶解ガラス取り出し側に向けてガラス原料を流動させるように構成され、
前記燃料噴出部と前記酸素含有ガス吐出部との組が、前記ガラス溶解槽におけるガラス原料の流動方向に沿って並置されている点にある。
【００２２】
即ち、ガラス溶解槽におけるガラス原料の流動方向に沿って並置された燃料噴出部と酸素含有ガス吐出部との組により、ガラス溶解槽の上部空間に、ガラス原料の流動方向に沿って複数の火炎が形成され、そして、そのようにガラス原料の流動方向に沿って形成される複数の火炎により、原料供給側から溶解ガラス取り出し側に向けて流動するガラス原料が加熱されることになる。
【００２３】
そして、ガラス原料の流動方向に沿って並置された複数の燃料噴出部のうち、例えば、原料供給側に位置する燃料噴出部については、ガス燃料の分配率を主たる火炎を上方寄りに形成するための分配率に調節し、溶解ガラス取り出し側に位置する燃料噴出部については、ガス燃料の分配率を主たる火炎を下方寄りに形成するための分配率に調節するようにすると、ガラス溶解槽の上部空間におけるガラス原料流動方向の全域において、火炎をガラス原料に当たらないようにしながらガラス溶解槽の上面に近づけて形成することが可能となる。
つまり、燃料噴出部と酸素含有ガス吐出部との組毎に、炉体の壁部に設置した状態で、主たる火炎の形成高さを変更することができるので、燃料噴出部と酸素含有ガス吐出部との組をガラス原料の流動方向に沿って並置するに当たっては、組毎に設置高さを適切に定めて設けるのではなく、例えば、全ての組を同高さに設ける等により設置作業の簡略化を図っても、上述のように、ガラス溶解槽の上部空間におけるガラス原料流動方向の全域において、適切な高さに火炎を形成することができるのである。
従って、燃焼装置の設置作業の簡略化を図りながら、原料供給側から溶解ガラス取り出し側に向けて流動するガラス原料を適切且つ効率良く加熱することができるようになった。
【発明を実施するための最良の形態】
【００２４】
以下、図面に基づいて、本発明の実施の形態を説明する。
図１及び図２に示すように、ガラス溶解炉用の燃焼装置（以下、単に燃焼装置と記載する場合がある）は、炉体１の内部におけるガラス溶解槽２の上部空間に向けてガス燃料を溶解ガラスの上面に沿う設定火炎形成方向に沿って噴出する燃料噴出部Ｆと、ガラス溶解槽２の上部空間に向けてガス燃料を燃焼させるための燃焼用酸素含有ガスとしての純酸素ガスを前記設定火炎形成方向に沿って吐出する酸素含有ガス吐出部Ｓとが、炉体１の壁部１ｗに設けられて構成されている。
この実施形態では、前記燃料噴出部Ｆ及び前記酸素含有ガス吐出部Ｓが、前記炉体１の壁部１ｗに組付自在な一つのユニット状体としての噴出ユニットＮに構成されている。
【００２５】
そして、図３及び図４に示すように、前記燃料噴出部Ｆが、上下方向に間隔を隔てて位置する上下の噴出孔３と、それら上下の噴出孔３の中間の高さで且つそれら上下の噴出孔３の両横側方に振り分け位置する左右の噴出孔３とを備えるように構成され、図６に示すように、燃料噴出部Ｆにおける前記複数の噴出孔３から分配して噴出されるガス燃料の分配率を変更調節する分配率調節手段Ｖが設けられている。
尚、以下の説明では、前記燃料噴出部Ｆにおける上下並びに左右からなる複数の噴出孔３を夫々の位置を区別して説明する場合、上方の噴出孔３を上部噴出孔３ｕと記載し、下方の噴出孔３を下部噴出孔３ｓと記載し、各噴出孔３からのガス燃料の噴出方向に沿うガス燃料噴出方向視において左横側方の噴出孔３を左横噴出孔３ｈと記載し、ガス燃料噴出方向視において右横側方の噴出孔３を右横噴出孔３ｍと記載する。
【００２６】
又、図３及び図４に示すように、前記酸素含有ガス吐出部Ｓが、前記燃料噴出部Ｆにおける前記複数の噴出孔３にて囲まれる位置に形成した１個の酸素含有ガス吐出口４にて構成されている。
【００２７】
先ず、図１及び図２に基づいて、ガラス溶解炉について説明を加える。
このガラス溶解炉は、平面視で矩形状の炉体１内の下部に、平面視で矩形状のガラス溶解槽２が設けられて構成されている。
矩形状のガラス溶解槽２の四辺の側部のうちの一側部を区画する炉体１の壁部１ｗに、ガラス原料を投入する投入口１ｉが設けられ、その投入口１ｉが設けられた側部に対向する側部を区画する炉体１の壁部１ｗに、その壁部１ｗの外部に設けられた取り出し槽５に向けて溶解ガラスを取り出す取り出し口１ｅが設けられている。
そして、投入口１ｉからガラス溶解槽２に投入されたガラス原料を取り出し口１ｅに向けて流動させながら溶解させて、連続してガラス溶解処理を行う連続式に構成されている。
つまり、前記ガラス溶解槽２が、原料供給側から溶解ガラス取り出し側に向けてガラス原料を流動させるように構成されていることになる。
【００２８】
投入口１ｉから取り出し口１ｅに向かうガラス原料及び溶解ガラスの流動方向（以下、ガラス原料流動方向と記載する場合がある）に沿うガラス原料流動方向視において、炉体１の左右夫々の壁部１ｗに、複数（この実施形態では４基）の噴出ユニットＮが左右の壁部１ｗで千鳥状になる形態で前記ガラス原料流動方向に沿って並置されている。
尚、左右夫々の壁部１ｗに並置された複数の噴出ユニットＮは、全て同一の高さに設けられている。
つまり、前記燃料噴出部Ｆと前記酸素含有ガス吐出部Ｓとの組が、前記ガラス溶解槽２におけるガラス原料流動方向に沿って並置されていることになる。
又、前記火炎形成方向がガラス原料流動方向に直交し且つ水平方向に沿う方向に設定されている。
【００２９】
次に、図３〜図５に基づいて、前記噴出ユニットＮについて説明を加える。
この噴出ユニットＮは、前記燃料噴出部Ｆの上部噴出孔３ｕ、下部噴出孔３ｓ、左横噴出孔３ｈ及び右横噴出孔３ｍ、並びに、酸素含有ガス吐出部Ｓの酸素含有ガス吐出口４が形成されたバーナタイル６と、上部噴出孔３ｕ、下部噴出孔３ｓ、左横噴出孔３ｈ、右横噴出孔３ｍにそれぞれガス燃料を供給する上部燃料供給口７ｕ、下部燃料供給口７ｓ、左横燃料供給口７ｈ、右横燃料供給口７ｍ、及び、酸素含有ガス吐出口４に酸素ガスを供給する酸素含有ガス供給口８を備えた供給口集合部９と、上部噴出孔３ｕ、下部噴出孔３ｓ、左横噴出孔３ｈ、右横噴出孔３ｍ、酸素含有ガス吐出口４のそれぞれに上部燃料供給口７ｕ、下部燃料供給口７ｓ、左横燃料供給口７ｈ、右横燃料供給口７ｍ、酸素含有ガス供給口８のそれぞれを連通接続する接続部１０とを一体的に組み付けて構成されている。
【００３０】
前記バーナタイル６は、外形が直方体形状であり、その直方体形状のバーナタイル６における６つの面のうちの１つの面（以下、前面と称する）に、上部噴出孔３ｕ、下部噴出孔３ｓ、左横噴出孔３ｈ及び右横噴出孔３ｍを上部噴出孔３ｕと下部噴出孔３ｓとが鉛直方向に沿って並びかつ左横噴出孔３ｈと右横噴出孔３ｍとが水平方向に沿って並ぶ状態で十字状に位置させ、且つ、それら十字状に位置する上部噴出孔３ｕ、下部噴出孔３ｓ、左横噴出孔３ｈ及び右横噴出孔３ｍの中央に酸素含有ガス吐出口４を位置させる形態で、上部噴出孔３ｕ、下部噴出孔３ｓ、左横噴出孔３ｈ、右横噴出孔３ｍ及び酸素含有ガス吐出口４がバーナタイル６に形成されている。
【００３１】
更に説明を加えると、上部噴出孔３ｕ及び下部噴出孔３ｓは夫々３個ずつバーナタイル６に形成され、３個の上部噴出孔３ｕ及び３個の下部噴出孔３ｓの夫々は、バーナタイル６の後面と前面とにわたって貫通する状態で、夫々の軸心が互いに平行となる形態で水平方向に並ぶようにバーナタイル６に形成されている。
又、左横噴出孔３ｈ及び右横噴出孔３ｍは夫々２個ずつバーナタイル６に形成され、２個の左横噴出孔３ｈ及び２個の右横噴出孔３ｍの夫々は、バーナタイル６の後面と前面とにわたって貫通する状態で、夫々の軸心が互いに平行となる形態で水平方向に並ぶようにバーナタイル６に形成されている。
又、酸素含有ガス吐出口４は、長手方向が水平方向に沿う長円状の横断面形状となる形態にて、バーナタイル６の後面と前面とにわたって貫通する状態でバーナタイル６に形成されている。
【００３２】
前記供給口集合部９は、バーナタイル６の前面視において、矩形状の板状体１１に、上部燃料供給口７ｕ、下部燃料供給口７ｓ、左横燃料供給口７ｈ、右横燃料供給口７ｍ及び酸素含有ガス供給口８を、上部噴出孔３ｕ、下部噴出孔３ｓ、左横噴出孔３ｈ、右横噴出孔３ｍ及び酸素含有ガス吐出口４の配置形態と同様の配置形態で設けて構成されている。
【００３３】
前記接続部１０は、図示を省略するが、３個の上部噴出孔３ｕと上部燃料供給口７ｕとを接続する流路、３個の下部噴出孔３ｓと下部燃料供給口７ｓとを接続する流路、２個の左横噴出孔３ｈと左横燃料供給口７ｈとを接続する流路、２個の右横噴出孔３ｍと右横燃料供給口７ｍとを接続する流路、及び、酸素含有ガス吐出口４と酸素含有ガス供給口８とを接続する流路を内部に備えるように構成されている。
【００３４】
そして、上述のように構成された噴出ユニットＮが、その前面を炉体１の内部に臨ませた状態で、炉体１の壁部１ｗに設けられている。
【００３５】
図６に示すように、都市ガス（例えば１３Ａ）等のガス燃料を供給する燃料供給路１２が８系統のユニット用燃料分岐路１２ｎに分岐され、更に、各ユニット用燃料分岐路１２ｎが上部用分岐路１２ｕ、下部用分岐路１２ｓ、左横用分岐路１２ｈ及び右横用分岐路１２ｍに分岐されて、各ユニット用分岐路１２ｎの上部用分岐路１２ｕ、下部用分岐路１２ｓ、左横用分岐路１２ｈ、右横用分岐路１２ｍがそれぞれ各噴出ユニットＮの上部燃料供給口７ｕ、下部燃料供給口７ｓ、左横燃料供給口７ｈ、右横燃料供給口７ｍに接続されている。
前記燃料供給路１２にはガス燃料の供給を断続する燃料断続弁１３が設けられ、各ユニット用燃料分岐路１２ｎには、前記噴出ユニットＮへのガス燃料の供給量を調節するユニット用燃料調節弁１４が設けられている。
更に、上部用分岐路１２ｕには前記３個の上部噴出孔３ｕへのガス燃料の供給量を調節する上部用燃料調節弁１５ｕが設けられ、下部用分岐路１２ｓには前記３個の下部噴出孔３ｓへのガス燃料の供給量を調節する下部用燃料調節弁１５ｓが設けられ、左横用分岐路１２ｈには前記２個の左横噴出孔３ｈへのガス燃料の供給量を調節する左横用燃料調節弁１５ｈが設けられ、右横用分岐路１２ｍには前記２個の右横噴出孔３ｍへのガス燃料の供給量を調節する右横用燃料調節弁１５ｍが設けられている。
つまり、前記上部用燃料調節弁１５ｕ、下部用燃料調節弁１５ｓ、左横用燃料調節弁１５ｈ及び右横用燃料調節弁１５ｍにより、前記分配率調節手段Ｖが構成される。
【００３６】
タンク等の純酸素ガス供給源１６から純酸素ガスを供給する純酸素供給路１７が８系統のユニット用酸素分岐路１７ｎに分岐され、各ユニット用酸素分岐路１７ｎが各噴出ユニットＮの酸素含有ガス供給口８に接続されている。
そして、純酸素供給路１７には純酸素ガスの供給を断続する酸素断続弁１８が設けられ、各ユニット用酸素分岐路１７ｎには、各噴出ユニットＮへの純酸素ガスの供給量を調節するユニット用酸素調節弁１９が設けられている。
【００３７】
図６に示すように、この燃焼装置には、燃焼装置の運転を制御する運転制御部２０、及び、その運転制御部２０に各種の制御指令を指令する操作部２１が設けられている。
操作部２１には、図示を省略するが、燃焼装置の運転開始及び停止を指令する運転スイッチの他に、８個の噴出ユニットＮ夫々に対応して、主たる火炎(以下、主炎と記載する場合がある)の形成状態を上方寄り形成状態、幅広形成状態、下方寄り形成状態、左寄り形成状態及び右寄り形成状態のうちから択一的に指令する火炎形成状態指令スイッチ等が設けられている。
【００３８】
前記上方寄り形成状態は、噴出ユニットＮに供給されるガス燃料を、そのうちの大部分が前記３個の上部噴出孔３ｕから噴出されるように予め設定された主炎上方寄り形成用の設定分配率（例えば、８５：５：５：５）にて、前記３個の上部噴出孔３ｕ、前記３個の下部噴出孔３ｓ、前記２個の左横噴出孔３ｈ、前記２個の右横噴出孔３ｍから分配して噴出する状態であり、図７に示すように、前記３個の上部噴出孔３ｕにて主炎Ｆｍが上方寄りに形成され、前記３個の下部噴出孔３ｓ、前記２個の左横噴出孔３ｈ及び前記２個の右横噴出孔３ｍ夫々により微小火炎Ｆｓが形成される。
【００３９】
前記下方寄り形成状態は、噴出ユニットＮに供給されるガス燃料を、そのうちの大部分が前記３個の下部部噴出孔３ｓから噴出されるように予め設定された主炎下方寄り形成用の設定分配率（例えば、５：８５：５：５）にて、前記３個の上部噴出孔３ｕ、前記３個の下部噴出孔３ｓ、前記２個の左横噴出孔３ｈ、前記２個の右横噴出孔３ｍから分配して噴出する状態であり、図９に示すように、前記３個の下部噴出孔３ｓにて主炎Ｆｍが下方よりに形成され、前記３個の上部噴出孔３ｕ、前記２個の左横噴出孔３ｈ及び前記２個の右横噴出孔３ｍ夫々により微小火炎Ｆｓが形成される。
【００４０】
前記幅広形成状態は、噴出ユニットＮに供給されるガス燃料を、そのうちの大部分が前記２個の左横噴出孔３ｈ及び前記２個の右横噴出孔３ｍから噴出されるように予め設定された主炎中間形成用の設定分配率（例えば、５：５：４５：４５）にて、前記３個の上部噴出孔３ｕ、前記３個の下部噴出孔３ｓ、前記２個の左横噴出孔３ｈ、前記２個の右横噴出孔３ｍから分配して噴出する状態であり、図８に示すように、前記２個の左横噴出３ｈ及び前記２個の右横噴出孔３ｍにて幅広の主炎Ｆｍが形成され、前記３個の上部噴出孔３ｕ及び前記３個の下部噴出孔３ｓ夫々により微小火炎Ｆｓが形成される。
【００４１】
前記左寄り形成状態は、噴出ユニットＮに供給されるガス燃料を、そのうちの大部分が前記２個の左横噴出孔３ｈから噴出されるように予め設定された主炎左寄り形成用の設定分配率（例えば、５：５：８５：５）にて、前記３個の上部噴出孔３ｕ、前記３個の下部噴出孔３ｓ、前記２個の左横噴出孔３ｈ、前記２個の右横噴出孔３ｍから分配して噴出する状態であり、図示を省略するが、前記２個の左横噴出孔３ｈにて主炎Ｆｍが左寄りに形成され、前記３個の上部噴出孔３ｕ、前記３個の下部噴出孔３ｓ及び前記２個の右横噴出孔３ｍ夫々により微小火炎Ｆｓが形成される。
【００４２】
前記右寄り形成状態は、噴出ユニットＮに供給されるガス燃料を、そのうちの大部分が前記２個の右横噴出孔３ｍから噴出されるように予め設定された主炎右寄り形成用の設定分配率（例えば、５：５：５：８５）にて、前記３個の上部噴出孔３ｕ、前記３個の下部噴出孔３ｓ、前記２個の左横噴出孔３ｈ、前記２個の右横噴出孔３ｍから分配して噴出する状態であり、図示を省略するが、前記２個の右横噴出孔３ｍにて主炎Ｆｍが右寄りに形成され、前記３個の上部噴出孔３ｕ、前記３個の下部噴出孔３ｓ及び前記２個の左横噴出孔３ｈ夫々により微小火炎Ｆｓが形成される。
【００４３】
ちなみに、主炎形成用以外の噴出孔３へのガス燃料の分配率である５％は、バーナタイル６の過熱を防止するために、主炎形成用以外の噴出孔３からも微量のガス燃料を噴出させるために設定されたものであり、バーナタイル６が過熱されても耐久性の低下の虞がない場合は、主炎形成用以外の噴出孔３からのガス燃料の噴出を停止して、主炎形成用の噴出孔３からガス燃料の全量を噴出するように構成することが可能である。
【００４４】
ガラス溶解槽２におけるガラス原料流動方向上手側の部分は、ガラス原料が溶解されつつ浮遊しているので、ガラス溶解槽２の上面は凸凹状となり、ガラス溶解槽２におけるガラス原料流動方向下流側の部分は、その部分に至るまでにガラス原料の殆どが溶解されて、ガラス原料は浮遊していないので、ガラス溶解槽２の上面は平坦である。
そこで、炉体１の左右夫々の壁部１ｗに設けられた４基の噴出ユニットＮ夫々の主炎の形成状態を、前記操作部２１の火炎形成状態指令スイッチにより、前記投入口１ｉの側から１番目の噴出ユニットＮを上方寄り形成状態に、２番目の噴出ユニットＮを幅広形成状態に、３番目及び４番目の噴出ユニットＮを下方寄り形成状態に夫々設定する。
【００４５】
すると、ガラス溶解槽２におけるガラス原料流動方向の上手側の部分においては、上方寄りに主炎Ｆｍが形成されるので、ガラス溶解槽２に浮遊するガラス原料に火炎が当たらないようにすることができる。
又、ガラス溶解槽２におけるガラス原料流動方向の中間部分においては、横幅の広い主炎Ｆｍが形成され、ガラス溶解槽２におけるガラス原料流動方向の下流側の部分においては、ガラス溶解槽２の上面に近接するように下方寄りに主炎Ｆｍが形成されるので、温度分布を小さくしながら効率良くガラス溶解槽２を加熱することができる。
【００４６】
上述のように、噴出ユニットＮを炉体１の壁部１ｗに取り付けた状態で、主炎Ｆｍの形成高さを変更調節することができるので、複数の噴出ユニットＮを炉体１の壁部１ｗにガラス原料流動方向に沿って並置するに当たっては、各噴出ユニットＮ毎にガラス原料流動方向における位置に応じて適切な高さを定めて設けるといった複雑な作業が不要となって、上述した如く全て同一の高さに設ける等、簡単に行うことができるようになり、燃焼装置の設置作業を簡略化することができる。
【００４７】
以下、前記運転制御部２０の制御動作を説明する。
運転制御部２０は、前記操作部２１の運転スイッチにより運転開始が指令されると、各噴出ユニットＮに対して設けられたイグナイタ（図示省略）を作動させた状態で、前記燃料断続弁１３を開弁し、各噴出ユニットＮへのガス燃料の供給量が予め設定した設定燃料供給量になるように各ユニット用燃料分岐路１２ｎの前記ユニット用燃料調節弁１４の作動を制御し、並びに、前記酸素断続弁１８を開弁し、各噴出ユニットＮへの純酸素ガスの供給量が前記設定燃料供給量に対応して予め設定された設定酸素供給量になるように各ユニット用酸素分岐路１７ｎのユニット用酸素調節弁１９の作動を制御して、燃焼装置の運転を開始する。
【００４８】
又、運転制御部２０は、前記操作部２１の火炎形成状態指令スイッチによる各噴出ユニットＮについての主炎形成状態の指令情報に基づいて、各噴出ユニットＮに対応する上部用燃料調節弁１５ｕ、下部用燃料調節弁１５ｓ、左横用燃料調節弁１５ｈ及び右横用燃料調節弁１５ｍ夫々の作動を制御する。
例えば、上方寄り形成状態が指令されている場合は、前記ユニット用燃料供給路１２ｎを通して供給されるガス燃料を、前記主炎上方寄り形成用の設定分配率にて前記上部用分岐路１２ｕ、前記下部用分岐路１２ｓ、前記左横用分岐路１２ｈ、前記右横用分岐路１２ｍに分配して通流させるように、前記上部用燃料調節弁１５ｕ、前記下部用燃料調節弁１５ｓ、前記左横用燃料調節弁１５ｈ及び前記右横用燃料調節弁１５ｍ夫々の作動を制御する。
【００４９】
そして、運転制御部２０は、前記操作部２１の運転スイッチにより運転停止が指令されると、前記燃料断続弁１３及び前記酸素断続弁１８を閉弁して、燃焼装置の運転を停止する。
【００５０】
〔別実施形態〕
次に別実施形態を説明する。
（イ）  上部噴出孔３ｕ及び下部噴出孔３ｓの配置形態は、上記の実施形態において例示した鉛直方向に沿って並ぶ配置形態に限定されるものではなく、鉛直方向に対して左側に傾斜する上下方向や、鉛直方向に対して右側に傾斜する上下方向に沿って並ぶ配置形態でも良い。
又、左横噴出孔３ｈ及び右横噴出孔３ｍの配置形態は、上記の実施形態において例示した水平方向に沿って並ぶ配置形態に限定されるものではなく、水平方向に対して左側が上位となる横方向や、水平方向に対して右側が上位となる横方向に沿って並ぶ配置形態でも良い。
【００５１】
（ロ）  設定火炎形成方向は、上記の実施形態において例示したガラス原料流動方向に直交する方向に限定されるものではなく、ガラス原料流動方向に平行な方向や、ガラス原料流動方向に斜めに交差する方向でも良い。
【００５２】
（ハ）  酸素含有ガス吐出部Ｓを構成する酸素含有ガス吐出口の具体構成は、上記の実施形態にて例示した構成、即ち、燃料噴出部Ｆにおける上部噴出孔３ｕ、下部噴出孔３ｓ、左横噴出孔３ｈ及び右横噴出孔３ｍにて囲まれる位置に形成した１個の酸素含有ガス吐出口４にて構成する場合に限定されるものではない。
例えば、燃料噴出部Ｆにおける上部噴出孔３ｕ、下部噴出孔３ｓ、左横噴出孔３ｈ及び右横噴出孔３ｍにて囲まれる位置に形成した酸素含有ガス吐出口にて構成する場合、その酸素含有ガス吐出口の個数は１個に限定されるものではなく、複数個設けても良い。
又、燃料噴出部Ｆにおける上部噴出孔３ｕ、下部噴出孔３ｓ、左横噴出孔３ｈ及び右横噴出孔３ｍの夫々に対応して各別に設けた複数の酸素含有ガス吐出口にて構成しても良い。
【００５３】
（ニ）  上記の実施形態においては、燃料噴出部Ｆ及び酸素含有ガス吐出部Ｓを炉体１の壁部１ｗに組付自在な一つのユニット状体として構成する場合について例示したが、燃料噴出部Ｆと酸素含有ガス吐出部Ｓとを別体に構成しても良い。
【００５４】
（ホ）  燃料噴出部Ｆと酸素含有ガス吐出部Ｓとの組、即ち噴出ユニットＮを、ガラス溶解槽２におけるガラス原料の流動方向に沿って並置する場合に、その配置形態は上記の実施形態において例示した形態に限定されるものではない。
即ち、上記の実施形態においては、平面視で矩形状のガラス溶解槽２を囲む炉体１の四壁部１ｗにおける対向する一対の壁部１ｗのうちの一方に投入口１ｉを設け且つ他方に取り出し口１ｅを設けて、ガラス原料を直線状に流動させるように構成して、そのガラス原料流動方向に沿うガラス原料流動方向視において、左右両側の炉体１の壁部１ｗの夫々に、複数の噴出ユニットＮをガラス原料流動方向に沿って並置する形態としたが、そのガラス原料流動方向視における左右両側の炉体１の壁部１ｗのうちの一方に、複数の噴出ユニットＮをガラス原料流動方向に沿って並置する形態でも良い。
【００５５】
又、図１０に示すように、平面視で矩形状のガラス溶解槽２を囲む炉体１の四壁部１ｗのうちの一壁部１ｗにおける水平方向一端側に投入口１ｉを設け、その壁部１ｗにおける水平方向他端側に連なる壁部１ｗに取り出し口１ｅを設けて、投入口１ｉから取り出し口１ｅに向けて屈曲状にガラス原料を流動させるように構成して、その屈曲状のガラス原料流動方向に沿って複数の噴出ユニットＮを並置する形態としても良い。
即ち、投入口１ｉを設けた壁部１ｗの水平方向における投入口１ｉ側の端部に連なる壁部１ｗに、複数（実施形態では３基）の噴出ユニットＮを水平方向に並置し、投入口１ｉを設けた壁部１ｗ及びその壁部１ｗに対向する壁部１ｗ夫々における取り出し口１ｅ側の部分に、噴出ユニットＮを１基ずつ両壁部１ｗで水平方向に位置をずらした状態で設ける形態としても良い。
この場合、例えば、投入口１ｉ側の３基の噴出ユニットＮにおける主炎の形成状態を上方寄り形成状態に設定し、取り出し口１ｅ側の２基の噴出ユニットＮにおける主炎の形成状態を下方寄り形成状態に設定する。
【００５６】
（ヘ）  噴出ユニットＮをガラス溶解槽２におけるガラス原料流動方向に沿って並置する場合、その並置数はガラス溶解槽２の平面視での大きさに応じて変更設定することができる。又、ガラス溶解槽２の平面視での大きさが小さい場合は１基でも良い。
【００５７】
（ト）  複数の噴出ユニットＮ夫々に対する主炎の形成状態の設定形態は、上記の実施形態において例示した設定形態に限定されるものではない。
例えば、炉体１の壁部１ｗの右側に隣接して設置される噴出ユニットＮについては、右寄り形成状態に設定し、炉体１の壁部１ｗの左側に隣接して設置される噴出ユニットＮについては、左寄り形成状態に設定することにより、火炎が壁部１ｗに接触しないようして、炉体１の耐久性を向上するようにしても良い。
【００５８】
（チ）  主炎の形成状態の種類は、上記の実施形態において例示した種類に限定されるものではない。例えば、ガス燃料の大部分を上部噴出孔３ｕと左横噴出孔３ｈとから噴出する分配率に調整して主炎を幅広且つ左上寄りに形成する左上寄り形成状態、ガス燃料の大部分を上部噴出孔３ｕと右横噴出孔３ｍとから噴出する分配率に調整して主炎を幅広且つ右上寄りに形成する右上寄り形成状態、ガス燃料の大部分を下部噴出孔３ｓと左横噴出孔３ｈとから噴出する分配率に調整して主炎を幅広且つ左下寄りに形成する左下寄り形成状態、ガス燃料の大部分を下部噴出孔３ｓと右横噴出孔３ｍとから噴出する分配率に調整して主炎を幅広且つ右下寄りに形成する右下寄り形成状態等を設定することができる。
【００５９】
（リ）  酸素含有ガス吐出部Ｓにより吐出する酸素含有ガスとしては、上記の実施形態において例示した純酸素ガス以外に、空気や、酸素濃度を高くした酸素富化空気を用いることができる。
【００６０】
（ヌ）  本発明によるガラス溶解炉用の燃焼装置は、上記の実施形態にて説明した如きガラス溶解炉以外にも種々のガラス溶解炉に設けることが可能である。例えば、バッチ式でガラス原料の溶解処理を行うバッチ式のガラス溶解炉にも設けることができる。
【図面の簡単な説明】
【００６１】
【図１】ガラス溶解炉用の燃焼装置を設けたガラス溶解炉の横断平面図
【図２】図１のＩＩ−ＩＩ矢視図
【図３】噴出ユニットの前面図
【図４】噴出ユニットの側面図
【図５】噴出ユニットの後面図
【図６】ガラス溶解炉用の燃焼装置の制御構成を示すブロック図
【図７】上方寄り形成状態にて火炎が形成される状態を示すガラス溶解炉の縦断面図
【図８】幅広形成状態にて火炎が形成される状態を示すガラス溶解炉の縦断面図
【図９】下方寄り形成状態にて火炎が形成される状態を示すガラス溶解炉の縦断面図
【図１０】別実施形態に係るガラス溶解炉用の燃焼装置を設けたガラス溶解炉の横断平面図
【符号の説明】
【００６２】
１    炉体
１ｗ  壁部
２    ガラス溶解槽
３    噴出孔
４    酸素含有ガス吐出口
Ｆ    燃料噴出部
Ｎ    ユニット状体
Ｓ    酸素含有ガス吐出部
Ｖ    分配率調節手段
【図１】
0005122369.tif 000002
【図２】
0005122369.tif 000003
【図３】
0005122369.tif 000004
【図４】
0005122369.tif 000005
【図５】
0005122369.tif 000006
【図６】
0005122369.tif 000007
【図７】
0005122369.tif 000008
【図８】
0005122369.tif 000009
【図９】
0005122369.tif 000010
【図１０】
0005122369.tif 000011